(57)【要約】【課題】原子力発電所や火力発電所の復水脱塩装置の再生時に排出されるモノエタノールアミン含有希塩酸廃液等の非イオン／カチオン性水溶性化合物を効率的かつ経済的に処理する。【解決手段】アニオン交換膜によって原水室とアルカリ溶液室とに隔てられた中和透析装置１０の原水室に非イオン／カチオン性水溶性化合物を通水すると共に、アルカリ溶液室にアルカリ溶液を通水して該酸性液を中和及び脱塩処理する。アルカリ溶液の酸消費量と酸性液のアルカリ消費量とに基いて、アルカリ溶液のアルカリ濃度を調整する。【選択図】図１
2012210611.tif 000002
【特許請求の範囲】
【請求項１】
非イオン性又はカチオン性の水溶性化合物を含有する酸性液の処理装置であって、
アニオン交換膜によって一方の室と他方の室とに隔てられた前記一方の室に該酸性液を通水すると共に、前記他方の室にアルカリ溶液を通水して該酸性液を中和及び脱塩する中和脱塩装置と、
該酸性液のアルカリ消費量に基いて、該アルカリ溶液のアルカリ濃度を調整する調整手段とを有することを特徴とする酸性液の処理装置。
【請求項２】
非イオン性又はカチオン性の水溶性化合物を含有する酸性液の処理装置であって、
アニオン交換膜によって一方の室と他方の室とに隔てられた前記一方の室に該酸性液を通水すると共に、前記他方の室に該酸性液よりも浸透圧の高いアルカリ溶液を通水して、該酸性液を中和脱塩及び減容化する中和脱塩減容化装置と、
該酸性液のアルカリ消費量に基いて、該アルカリ溶液のアルカリ濃度を調整する調整手段とを有することを特徴とする酸性液の処理装置。
【請求項３】
請求項１又は２において、前記調整手段は、前記アルカリ溶液のｐＨ又は酸消費量の測定手段と、該測定手段の測定値に基いて、前記アルカリ溶液に高濃度アルカリ溶液を添加する手段とを有することを特徴とする酸性液の処理装置。
【請求項４】
請求項３において、前記調整手段は、更に前記酸性液のｐＨ又はアルカリ消費量の測定手段を有し、該酸性液のｐＨ又はアルカリ消費量の測定値と前記アルカリ溶液のｐＨ又は酸消費量の測定値に基いて、前記アルカリ溶液に高濃度アルカリ溶液を添加することを特徴とする酸性液の処理装置。
【請求項５】
請求項１ないし４のいずれか１項において、前記調整手段は、ＯＨ−イオンの極限モル伝導率Ａと、前記酸性液中の酸のＨ＋の対になるアニオンの極限モル伝導率ＢとからＯＨ−イオンの該アニオンに対する移動しやすさの比Ａ／Ｂを求め、前記アルカリ溶液の酸消費量（ｍｇ−ＣａＣＯ３／Ｌ）が前記酸性液のアルカリ消費量（ｍｇ−ＣａＣＯ３／Ｌ）に対してＢ／Ａ倍以上となるように前記アルカリ溶液のアルカリ濃度を調整することを特徴とする酸性液の処理装置。
【請求項６】
アニオン交換膜によって一方の室と他方の室とに隔てられた前記一方の室に、非イオン性又はカチオン性の水溶性化合物を含有する酸性液を通水すると共に、前記他方の室にアルカリ溶液を通水して該酸性液を中和及び脱塩する酸性液の処理方法であって、
該酸性液のアルカリ消費量に基いて、該アルカリ溶液のアルカリ濃度を調整することを特徴とする酸性液の処理方法。
【請求項７】
アニオン交換膜によって一方の室と他方の室とに隔てられた前記一方の室に、非イオン性又はカチオン性の水溶性化合物を含有する酸性液を通水すると共に、前記他方の室に該酸性液よりも浸透圧の高いアルカリ溶液を通水して、該酸性液を中和脱塩及び減容化する酸性液の処理方法であって、
該酸性液のアルカリ消費量に基いて、該アルカリ溶液のアルカリ濃度を調整することを特徴とする酸性液の処理方法。
【請求項８】
請求項６又は７において、前記アルカリ溶液のｐＨ又は酸消費量を測定し、該測定値に基いて、前記アルカリ溶液に高濃度アルカリ溶液を添加することにより、該アルカリ溶液のアルカリ濃度を調整することを特徴とする酸性液の処理方法。
【請求項９】
請求項８において、更に前記酸性液のｐＨ又はアルカリ消費量を測定し、該酸性液のｐＨ又はアルカリ消費量の測定値と前記アルカリ溶液のｐＨ又は酸消費量の測定値に基いて、前記アルカリ溶液に高濃度アルカリ溶液を添加することにより、該アルカリ溶液のアルカリ濃度を調整することを特徴とする酸性液の処理方法。
【請求項１０】
請求項６ないし９のいずれか１項において、前記調整手段は、ＯＨ−イオンの極限モル伝導率Ａと、前記酸性液中の酸のＨ＋の対になるアニオンの極限モル伝導率ＢとからＯＨ−イオンの該アニオンに対する移動しやすさの比Ａ／Ｂを求め、前記アルカリ溶液の酸消費量（ｍｇ−ＣａＣＯ３／Ｌ）が前記酸性液のアルカリ消費量（ｍｇ−ＣａＣＯ３／Ｌ）に対してＢ／Ａ倍以上となるように前記アルカリ溶液のアルカリ濃度を調整することを特徴とする酸性液の処理方法。
【発明の詳細な説明】
【技術分野】
【０００１】
本発明は、非イオン性又はカチオン性の水溶性化合物を含有する酸性液を、効率的に中和脱塩又は中和脱塩減容化する処理装置と方法に関する。詳しくは原子力発電所や火力発電所の復水脱塩装置の再生時に排出されるモノエタノールアミン含有希塩酸性液等の非イオン性又はカチオン性の水溶性化合物を含有する酸性液を、効率的かつ経済的に中和脱塩又は中和脱塩減容化する処理装置と処理方法に関する。
【背景技術】
【０００２】
原子力発電や火力発電の復水工程では、モノエタノールアミン（ＭＥＡ）などのアミン類が蒸気生成ラインの防食剤として用いられている。通常、これらのアミン類は、ライン中に設けられた復水脱塩装置（以下「コンデミ」と称す場合がある。）のカチオン交換樹脂に捕捉され、復水脱塩装置の再生の際に再生廃液に含まれて排出される。排出されたアミン類は、ＣＯＤ源や富栄養化源となって河川や湖沼を汚染するため、これを処理する必要がある。
【０００３】
このコンデミ再生廃液は、ＣＯＤ及び窒素負荷の高い液であるため、一般に熱分解又は液中燃焼などにより処理されているが、コンデミ再生廃液をそのまま熱分解又は液中燃焼装置に供するには、廃液量が多く処理コストが高くつくことから、その減容化が望まれる。
【０００４】
本出願人は、先に、コンデミ再生廃液等の酸性液を効率的かつ経済的に処理する技術として、次の（１），（２）を提案した。
（１）  窒素化合物を含有する酸性液を、アニオン交換膜によって一方の室と他方の室とに隔てられた前記一方の室に通水すると共に、前記他方の室にアルカリ溶液を通水して該酸性液を中和及び脱塩処理し、得られた中和脱塩処理液中の窒素化合物を濃縮する方法及び装置（特許文献１）。
（２）  非イオン性又はカチオン性の水溶性化合物を、アニオン交換膜によって一方の室と他方の室とに隔てられた該一方の室に該酸性液を通水するとともに、該他方の室に該酸性液よりも浸透圧の高いアルカリ溶液を通水して該酸性液を中和脱塩及び減容化する方法及び装置（特許文献２）。
【０００５】
特許文献１，２の処理技術であれば、コンデミ再生廃液等の酸性液を経済的かつ効率的に処理することができる。
【０００６】
この処理においては、アルカリ溶液として、後述の如く、コンデミ再生アルカリ廃液等の廃アルカリ溶液を用いることもでき、その場合には、アルカリ剤の薬品費を低減することができる。
【０００７】
特許文献１，２の処理方法において、処理効率を高く維持するためには、処理に用いるアルカリ溶液の濃度は、例えば、被処理酸性液が、液中の酸の対になるアニオンとしてＣｌ−を主成分として含むものである場合（即ち、酸性液中の酸がＨＣｌである場合）、以下の理由により、アルカリ液の酸消費量（ｍｇ−ＣａＣＯ３／Ｌ）が、被処理酸性液のアルカリ消費量（ｍｇ−ＣａＣＯ３／Ｌ）の１／２．６倍以上である必要がある。
【０００８】
アニオン交換膜でのＣｌ−イオンとＯＨ−イオンの移動は、イオンの移動のしやすさで決定される。イオンの移動は極限モル伝導率で示され、Ｃｌ−イオンとＯＨ−イオンは下記の数値が示されている。
＜極限モル伝導率＞
ＯＨ−イオン：１９８．３  λ∞／Ｓｃｍ２・ｍｏｌ−１
Ｃｌ−イオン：７６．３５  λ∞／Ｓｃｍ２・ｍｏｌ−１
【０００９】
これによると、ＯＨ−イオンはＣｌ−イオンの２．６倍移動し易いことから、酸性液からのＣｌ−イオンのアルカリ溶液側への移動速度を高く維持するには、アルカリ溶液のＯＨ−イオン濃度が酸消費量として、酸性液のアルカリ消費量の少なくとも１／２．６倍以上であることが望ましいことが分かる。
【００１０】
しかし、特許文献１，２の処理方法においては、処理を継続することにより、酸性液側よりＣｌ−イオンなどのアニオンと水がアニオン交換膜を透過してアルカリ溶液側に移動するために、アルカリ溶液の酸消費量（ｍｇ−ＣａＣＯ３／Ｌ）の低下がおこり、経時的にアニオンの移動速度が低下し、処理効率が悪化する。実際には、アルカリ溶液はその使用中に混入した不純物等による影響で、酸消費量は更に低くなっている場合があり、この場合には、処理効率は大幅に低下する。
【００１１】
また、アルカリ溶液として、廃アルカリ溶液を再使用しようとした場合、この廃アルカリ溶液はアルカリ濃度が低くなっていたり、アルカリ濃度が一定していなかったりするために、所期の処理効率を達成し得ない。
【００１２】
そこで、使用中のアルカリ溶液や、再利用する廃アルカリ溶液に、別途調製した高濃度アルカリ溶液を添加して、濃度調整することが考えられるが、高濃度アルカリ溶液の添加による濃度調整が不適切であると、所期の処理効率を達成し得ず、また、徒に大量の高濃度アルカリ溶液を準備する必要があったり、使用中のアルカリ溶液や廃アルカリ溶液の流量制御も適当でないために、大容量のアルカリ溶液貯槽を必要とするなどの問題もある。
【先行技術文献】
【特許文献】
【００１３】
【特許文献１】特願２０１０−２６２５１１
【特許文献２】特願２０１０−２６２５０６
【発明の概要】
【発明が解決しようとする課題】
【００１４】
本発明は、特許文献１，２に記載される中和脱塩或いは中和脱塩減容化処理におけるアルカリ溶液のアルカリ濃度の調整を的確に行って、アニオンの移動速度を高く維持して効率的な処理を行う酸性液の処理装置及び処理方法を提供することを課題とする。
【課題を解決するための手段】
【００１５】
本発明者は、上記課題を解決すべく種々検討した結果、酸性液のアルカリ消費量に基いて、アルカリ溶液のアルカリ濃度を調整すること、より具体的には、酸性液のｐＨ又はアルカリ消費量の測定値と、廃アルカリ溶液又は使用中のアルカリ溶液のｐＨ又は酸消費量の測定値に基いて、廃アルカリ溶液又は使用中のアルカリ溶液に高濃度アルカリ溶液を添加してアルカリ濃度を調整することにより、上記課題を解決することができることを見出した。
本発明はこのような知見に基いて達成されたものであり、以下を要旨とする。
【００１６】
［１］  非イオン性又はカチオン性の水溶性化合物を含有する酸性液の処理装置であって、アニオン交換膜によって一方の室と他方の室とに隔てられた前記一方の室に該酸性液を通水すると共に、前記他方の室にアルカリ溶液を通水して該酸性液を中和及び脱塩する中和脱塩装置と、該酸性液のアルカリ消費量に基いて、該アルカリ溶液のアルカリ濃度を調整する調整手段とを有することを特徴とする酸性液の処理装置。
【００１７】
［２］  非イオン性又はカチオン性の水溶性化合物を含有する酸性液の処理装置であって、アニオン交換膜によって一方の室と他方の室とに隔てられた前記一方の室に該酸性液を通水すると共に、前記他方の室に該酸性液よりも浸透圧の高いアルカリ溶液を通水して、該酸性液を中和脱塩及び減容化する中和脱塩減容化装置と、該酸性液のアルカリ消費量に基いて、該アルカリ溶液のアルカリ濃度を調整する調整手段とを有することを特徴とする酸性液の処理装置。
【００１８】
［３］  ［１］又は［２］において、前記調整手段は、前記アルカリ溶液のｐＨ又は酸消費量の測定手段と、該測定手段の測定値に基いて、前記アルカリ溶液に高濃度アルカリ溶液を添加する手段とを有することを特徴とする酸性液の処理装置。
【００１９】
［４］  ［３］において、前記調整手段は、更に前記酸性液のｐＨ又はアルカリ消費量の測定手段を有し、該酸性液のｐＨ又はアルカリ消費量の測定値と前記アルカリ溶液のｐＨ又は酸消費量の測定値に基いて、前記アルカリ溶液に高濃度アルカリ溶液を添加することを特徴とする酸性液の処理装置。
【００２０】
［５］  ［１］ないし［４］のいずれかにおいて、前記調整手段は、ＯＨ−イオンの極限モル伝導率Ａと、前記酸性液中の酸のＨ＋の対になるアニオンの極限モル伝導率ＢとからＯＨ−イオンの該アニオンに対する移動しやすさの比Ａ／Ｂを求め、前記アルカリ溶液の酸消費量（ｍｇ−ＣａＣＯ３／Ｌ）が前記酸性液のアルカリ消費量（ｍｇ−ＣａＣＯ３／Ｌ）に対してＢ／Ａ倍以上となるように前記アルカリ溶液のアルカリ濃度を調整することを特徴とする酸性液の処理装置。
【００２１】
［６］  アニオン交換膜によって一方の室と他方の室とに隔てられた前記一方の室に、非イオン性又はカチオン性の水溶性化合物を含有する酸性液を通水すると共に、前記他方の室にアルカリ溶液を通水して該酸性液を中和及び脱塩する酸性液の処理方法であって、該酸性液のアルカリ消費量に基いて、該アルカリ溶液のアルカリ濃度を調整することを特徴とする酸性液の処理方法。
【００２２】
［７］  アニオン交換膜によって一方の室と他方の室とに隔てられた前記一方の室に、非イオン性又はカチオン性の水溶性化合物を含有する酸性液を通水すると共に、前記他方の室に該酸性液よりも浸透圧の高いアルカリ溶液を通水して、該酸性液を中和脱塩及び減容化する酸性液の処理方法であって、該酸性液のアルカリ消費量に基いて、該アルカリ溶液のアルカリ濃度を調整することを特徴とする酸性液の処理方法。
【００２３】
［８］  ［６］又は［７］において、前記アルカリ溶液のｐＨ又は酸消費量を測定し、該測定値に基いて、前記アルカリ溶液に高濃度アルカリ溶液を添加することにより、該アルカリ溶液のアルカリ濃度を調整することを特徴とする酸性液の処理方法。
【００２４】
［９］  ［８］において、更に前記酸性液のｐＨ又はアルカリ消費量を測定し、該酸性液のｐＨ又はアルカリ消費量の測定値と前記アルカリ溶液のｐＨ又は酸消費量の測定値に基いて、前記アルカリ溶液に高濃度アルカリ溶液を添加することにより、該アルカリ溶液のアルカリ濃度を調整することを特徴とする酸性液の処理方法。
【００２５】
［１０］  ［６］ないし［９］のいずれか１項において、前記調整手段は、ＯＨ−イオンの極限モル伝導率Ａと、前記酸性液中の酸のＨ＋の対になるアニオンの極限モル伝導率ＢとからＯＨ−イオンの該アニオンに対する移動しやすさの比Ａ／Ｂを求め、前記アルカリ溶液の酸消費量（ｍｇ−ＣａＣＯ３／Ｌ）が前記酸性液のアルカリ消費量（ｍｇ−ＣａＣＯ３／Ｌ）に対してＢ／Ａ倍以上となるように前記アルカリ溶液のアルカリ濃度を調整することを特徴とする酸性液の処理方法。
【発明の効果】
【００２６】
本発明によれば、非イオン性又はカチオン性の水溶性化合物を含有する酸性液（以下、非イオン性又はカチオン性の水溶性化合物を「非イオン／カチオン性水溶性化合物」と称し、これを含有する酸性液を「非イオン／カチオン性水溶性化合物含有酸性液」又は「原水」又は単に「酸性液」と称す場合がある。）の中和脱塩或いは中和脱塩減容化処理において、酸性液のアルカリ消費量に基いて、アルカリ溶液のアルカリ濃度を調整すること、より具体的には、酸性液のｐＨ又はアルカリ消費量の測定値と廃アルカリ溶液のｐＨ又は酸消費量の測定値に基いて、アルカリ溶液として再利用する廃アルカリ溶液に別途調製した高濃度アルカリ溶液を添加してアルカリ濃度を調整して用いることにより、処理に用いる廃アルカリ溶液を最大限に有効再利用した上で、アルカリ溶液のアルカリ濃度の調整を的確に行って、アニオンの移動速度を高く維持して効率的な処理を行うことができる。
また、使用中のアルカリ溶液についても、同様に高濃度アルカリ溶液の添加でアルカリ濃度を調整することにより、アニオンの移動速度を高く維持して効率的な処理を行うことができる。
また、このように、アルカリ溶液の濃度調整を的確に行うことができることから、アルカリ溶液、廃アルカリ溶液、高濃度アルカリ溶液の各貯槽に大量の液を保持する必要がなく、貯槽を小型化することができる。
【図面の簡単な説明】
【００２７】
【図１】本発明の酸性液の処理装置及び方法の実施の形態を示す系統図である。
【図２】実施例１及び比較例１における模擬原水のアルカリ消費量の経時変化を示すグラフである。
【発明を実施するための形態】
【００２８】
以下に本発明の酸性液の処理装置及び処理方法の実施の形態を図面を参照して詳細に説明する。
【００２９】
なお、本明細書では、本発明で処理する非イオン／カチオン性水溶性化合物含有酸性液が、酸として塩酸（ＨＣｌ）を含み、このような酸性液をアルカリ溶液として水酸化ナトリウム水溶液を用いて中和脱塩及び減容化処理する場合を例示して、本発明を説明するが、本発明で処理対象とする酸性液に含まれる酸は、塩酸に限らず、硫酸等の他の酸であってもよい。非イオン／カチオン性水溶性化合物含有酸性液に含まれる酸が硫酸等の他の酸の場合、以下の説明において、Ｃｌ−イオンはＳＯ４２−イオン等の酸のＨ＋の対となるアニオンであり、また、アルカリ溶液として水酸化ナトリウム水溶液以外のアルカリ溶液を用いた場合、以下の説明において、Ｎａ＋イオンはＫ＋イオン等のアルカリのＯＨ−の対となるカチオンである。
【００３０】
図１は、本発明の実施の形態を示す系統図であり、図１の装置は、中和透析用アルカリ溶液貯槽１、原水貯槽２、廃アルカリ溶液貯槽３、高濃度アルカリ溶液貯槽４、アニオン交換膜１０Ａを備える中和透析装置１０、制御機器２０、酸消費量計２１で主に構成される。
【００３１】
［非イオン／カチオン性水溶性化合物含有酸性液］
本発明の処理対象となる非イオン／カチオン性水溶性化合物含有酸性液としては、特に制限はないが、例えば、以下の（１）〜（３）が挙げられる。
（１）  窒素化合物含有酸性液
（２）  金属イオン含有酸性液
（３）  界面活性剤、洗浄剤含有酸性液
【００３２】
（１）窒素化合物含有酸性液としては、例えば火力発電所や加圧水型原子力発電所などにおいて、防食剤としてモノエタノールアミン（ＭＥＡ）やモルホリンなどの有機アミンを添加した復水の脱塩装置（コンデミ）に用いられるカチオン交換樹脂を再生した酸性廃液（以下「コンデミ再生酸性廃液」と称す場合がある。）を挙げることができる。
【００３３】
カチオン交換樹脂の再生には、塩酸や硫酸等の酸が用いられるため、このコンデミ再生酸性廃液には脱着した有機アミン（正確には有機アミンの酸塩）と再生薬品としての塩酸や硫酸などの酸のほか、微量の銅イオン、鉄イオン、また有機アミンの分解物であるアンモニアなどが含まれている。
【００３４】
このようなコンデミ再生酸性廃液の有機アミンやその他の水質成分の濃度やｐＨは、その廃液の種類によって異なるが、例えば以下のような水質である。
【００３５】
【表１】
2012210611.tif 000003
【００３６】
（２）金属イオン含有酸性液としては、製鉄工場や金属材加工工場などにおける揮発性酸による酸洗工程から排出される金属溶解酸排液などが挙げられる。
【００３７】
（３）界面活性剤、洗浄剤含有酸性液としては、例えば、半導体製造プラントから排出されるリンス排水などが挙げられる。
即ち、半導体製造プラントからは、ｐＨ２．５〜３．５、Ｈ２Ｏ２濃度１０〜３０ｐｐｍで、ＴＯＣ成分として界面活性剤、アセトン、イソプロパノール、酢酸等のカルボン酸などを１〜３ｐｐｍ含有するリンス排水が排出される。従来、このような半導体リンス排水は、第１の活性炭吸着塔、弱塩基性アニオン交換樹脂塔、強酸性カチオン交換樹脂塔、強塩基性アニオン交換樹脂塔、逆浸透膜処理装置、高圧紫外線照射装置、第２の活性炭吸着塔、真空脱気塔、混床式イオン交換樹脂塔に順次通水して処理されているが、このような従来の半導体リンス排水の処理方法においては、ｐＨ２．５〜３．５の酸性のリンス排水を処理するため、第１の活性炭吸着塔の性能が経時により低下して、第１の活性炭吸着塔のＨ２Ｏ２分解性能が低下し、活性炭吸着塔から流出したＨ２Ｏ２が、弱塩基性アニオン樹脂塔の樹脂をＨ２Ｏ２による酸化で劣化させ、弱塩基性アニオン交換樹脂塔の性能を低下させる；第１の活性炭吸着塔のＨ２Ｏ２分解性能が低下すると、リンス排水中の界面活性剤の吸着性能も低下し、後段の強塩基性アニオン交換樹脂塔の性能低下を引き起こす；といった問題があったが、本発明によれば、このような酸性液を効率的に処理することができる。
【００３８】
［中和脱塩処理又は中和脱塩減容化処理］
本発明に係る中和脱塩処理においては、アニオン交換膜によって一方の室と他方の室とに隔てられた一方の室に原水である非イオン／カチオン性水溶性化合物含有酸性液を通水すると共に、他方の室にアルカリ溶液を通水して原水を中和及び脱塩する。
また、アルカリ溶液として非イオン／カチオン性水溶性化合物含有酸性液よりも浸透圧の高いアルカリ溶液を用いた場合には、中和及び脱塩と共に、更に減容化を行うことができる。
【００３９】
この原水の中和脱塩処理又は中和脱塩減容化処理に用いる装置としては、アニオン交換膜１０Ａを用いた中和透析装置（拡散透析装置）１０が好適に使用される。
【００４０】
図１では、原水貯槽２内の原水は、ポンプＰ２により、内部がアニオン交換膜１０Ａで原水室とアルカリ溶液室とに仕切られた中和透析装置１０の原水室に導入され、一方、アルカリ溶液室には、アルカリ溶液貯槽１から、ポンプＰ１によりアルカリ溶液が導入される。
【００４１】
コンデミにおいて、アニオン交換樹脂とカチオン交換樹脂との混床樹脂を分離するために、１６重量％のＮａＯＨ水溶液を用いてアニオン交換樹脂とカチオン交換樹脂の比重差を利用して分離する技術を用いている現場では、別途、この分離に用いたアルカリ廃液が排出される。
このようにコンデミの再生現場では、アルカリ廃液が過剰に排出される場合があり、本発明においては、このようなコンデミ再生アルカリ廃液等のアルカリ廃液をアルカリ溶液として用いることもできる。
アルカリ溶液としては、更に他の施設から排出されるアルカリ廃液を用いてもよい。
本発明による高濃度アルカリ溶液を用いたアルカリ濃度の的確な調整による効果を有効に得る上で、本発明は特に、アルカリ溶液としてこのような廃アルカリ溶液を用いる場合に有効である。
【００４２】
中和透析装置１０では、原水室に導入された原水中のＣｌ−イオンがアニオン交換膜１０Ａを透過してアルカリ溶液室に移動することにより脱塩され、一方、アルカリ溶液室内のＯＨ−イオンがアニオン交換膜１０Ａを透過して原水室に移動することにより原水が中和される。原水室の流出液は原水貯槽２に返送され、原水は循環処理される。一方、アルカリ溶液室からの流出液もアルカリ溶液貯槽１に返送されて循環される。
【００４３】
このような中和透析装置１０による中和脱塩処理においては、次のような態様を採用することが好ましい。
【００４４】
(1)  アニオン交換膜１０Ａとしては、耐酸性、耐アルカリ性に優れた膜を用いる。また、中和透析装置１０の接液面も、耐腐食性に優れた材料で構成されていることが好ましく、例えば、ポリテトラフルオロエチレン等のフッ素樹脂でライニングしたものが好ましい。
【００４５】
(2)  アニオン交換膜膜面には濃度分極層が形成され、これが物質の拡散律速となり、Ｃｌ−イオン、ＯＨ−イオン及び水の透過移動速度が制限される。これを防止して透過移動速度を高めるために、アニオン交換膜面近傍の濃度分極を低減するべく、膜面流速を高めることが好ましく、具体的には、原水室側及びアルカリ溶液室側の膜面流速をそれぞれ０．１ｃｍ／ｓｅｃ以上、例えば１〜８ｃｍ／ｓｅｃとすることが好ましい。膜面流速が低いとＣｌ−イオン及びＯＨ−イオンの移動速度を速くすることができず、所望の中和脱塩処理液を得るために長時間を要するようになる。ただし、膜面流速を過度に高くすることは、装置構成上現実的ではない。このような膜面流速を得るために、原水ポンプＰ２及びアルカリ溶液ポンプＰ１としては、高流速送液が可能なダイヤフラムポンプ等を用いることが好ましい。
【００４６】
(3)  アルカリ溶液としては、酸消費の総量（ｍｇ−ＣａＣＯ３）が、原水の中和に必要なアルカリ消費の総量（ｍｇ−ＣａＣＯ３）の１倍以上のものを用いる。
なお、前述の如く、アニオン交換膜でのＣｌ−とＯＨ−の移動速度は、極限モル伝導率で示されるイオンの移動のしやすさで決定され、Ｃｌ−とＯＨ−の極限モル伝導率はそれぞれ１９８．３Ｓｃｍ２・ｍｏｌ−１、７６．３５Ｓｃｍ２・ｍｏｌ−１である。したがって、ＯＨ−はＣｌ−の２．６倍移動しやすいことが分かる。このことより、酸性液からのＣｌ−のアルカリ溶液側への移動速度を高く維持するには、アルカリ溶液のＯＨ−濃度は少なくとも酸性液のＣｌ−濃度の１／２．６倍以上とすることが望ましい。
なお、アルカリ（ＮａＯＨ）の濃度を高くするとアルカリ溶液の浸透圧が原水の浸透圧よりも高くなり、原水中の水がアニオン交換膜を透過してアルカリ溶液側へ移動し、原水が濃縮されるようになる。
【００４７】
従って、前述のコンデミ再生アルカリ廃液等のアルカリ廃液をアルカリ溶液として用いる場合において、アルカリ濃度が不足する場合には、必要に応じてＮａＯＨ等のアルカリを添加してその濃度を調整することが好ましい。
【００４８】
(4)  中和脱塩処理は、得られる中和脱塩処理液（原水室からの流出液）のｐＨが中性、例えば５〜９程度になった時点で終了し、得られた中和脱塩処理液は次の濃縮処理に供することが好ましい。
この中和脱塩処理液のｐＨが３未満では、中和脱塩処理が不十分であり、中和脱塩処理効果を十分に得ることができない。中和脱塩処理液のｐＨを過度に上げると、アルカリ溶液室側からアニオン交換膜１０Ａを透過して原水室側に移行するＮａ＋イオン量が増え（アニオン交換膜であっても若干量のカチオン成分の透過がある。）、後工程で濃縮処理を行う場合、総イオン量が増加して非効率である。
【００４９】
このｐＨ管理の目的で、中和透析装置１０の原水室の流出配管に通液型ｐＨ計を設置して、原水室の流出液のｐＨを監視し、このｐＨ値が所定値に達したら、原水室の流出液の送液を、原水貯槽２から次工程へ切り換えるようにしても良い。
【００５０】
なお、中和透析装置１０における原水室の原水流通方向とアルカリ溶液室のアルカリ溶液の流通方向は、並流であっても向流であってもよいが、酸性液のアルカリ消費量とアルカリ性液の酸消費量に差をつけて、出口水質を中性に近づけるには、図１に示すように向流通水であることが好ましい。
【００５１】
また、原水及びアルカリ溶液は一過式で通水することも可能であるが、一般的には、一過式の通水では十分な中和透析を行えないことから、図１に示すような循環通水とすることが好ましい。
【００５２】
なお、前述の如く、中和透析装置１０において、アルカリ溶液として、非イオン／カチオン性水溶性化合物含有酸性液よりも浸透圧の高いアルカリ溶液を用いて非イオン／カチオン性水溶性化合物含有酸性液の中和脱塩処理と共に減容化処理を行うこともできる。
【００５３】
［アルカリ溶液のアルカリ濃度の調整］
本発明においては、処理する非イオン／カチオン性水溶性化合物含有酸性液のアルカリ消費量に基いて、中和脱塩又は中和脱塩減容化処理に用いるアルカリ溶液のアルカリ濃度の調整を行う。
【００５４】
図１に示す装置では、アルカリ溶液として廃アルカリ溶液と高濃度アルカリ溶液とを用い、まず、廃アルカリ溶液貯槽３内の廃アルカリ溶液をポンプＰ３で中和透析用アルカリ溶液貯槽１に送給し、酸消費量計２１でこの廃アルカリ溶液の酸消費量を測定する。この測定値に応じて、制御機器２０により、濃度既知のアルカリ濃度調整用高濃度アルカリ溶液を高濃度アルカリ溶液貯槽４からポンプＰ４より中和透析用アルカリ溶液貯槽１に送給し、必要に応じて更に廃アルカリ溶液を中和透析用アルカリ溶液貯槽１に追加送給して廃アルカリ溶液と高濃度アルカリ溶液とを混合し、原水貯槽２内の非イオン／カチオン性水溶性化合物含有酸性液のアルカリ消費量に見合うアルカリ濃度のアルカリ溶液を調製する。
【００５５】
具体的には、中和透析用アルカリ溶液貯槽１内のアルカリ溶液の酸消費量（ｍｇ−ＣａＣＯ３／Ｌ）が原水貯槽２内の非イオン／カチオン性水溶性化合物含有酸性液のアルカリ消費量（ｍｇ−ＣａＣＯ３／Ｌ）に対して、１／２．６倍以上となるように、また、中和透析用アルカリ溶液貯槽１内のアルカリ溶液の酸消費量の総量（ｍｇ−ＣａＣＯ３）が、原水貯槽２内の非イオン／カチオン性水溶性化合物含有酸性液のアルカリ消費量の総量（ｍｇ−ＣａＣＯ３）に対して１倍以上となるようにアルカリ濃度を調整する。このようにアルカリ濃度を調整することにより、非イオン／カチオン性水溶性化合物含有酸性液中のＣｌ−イオンのアルカリ溶液側への移動速度を高く維持して効率的な脱塩処理を行うと共に、非イオン／カチオン性水溶性化合物含有酸性液のアルカリ消費量がほぼ０になるまで脱塩処理することが可能となる。
【００５６】
なお、酸性液のアルカリ消費量（ｍｇ−ＣａＣＯ３／Ｌ）に対して、アルカリ溶液の酸消費量（ｍｇ−ＣａＣＯ３／Ｌ）が１／２．６倍以上となるようにアルカリ濃度の調整を行うのは、前述のように、非イオン／カチオン性水溶性化合物含有酸性液内の酸がＨＣｌを主体とする場合であり、一般的には、ＯＨ−イオンの極限モル伝導率Ａと、酸性液中の酸のＨ＋の対になるアニオンの極限モル伝導率ＢとからＯＨ−イオンのアニオンに対する移動しやすさの比Ａ／Ｂを求め、アルカリ溶液の酸消費量（ｍｇ−ＣａＣＯ３／Ｌ）が酸性液のアルカリ消費量（ｍｇ−ＣａＣＯ３／Ｌ）に対してＢ／Ａ倍以上となるようにアルカリ溶液のアルカリ濃度を調整する。
【００５７】
なお、図１は、原水の非イオン／カチオン性水溶性化合物含有酸性液のアルカリ消費量が既知の場合に適用される装置であって、図１の原水貯槽２内の非イオン／カチオン性水溶性化合物含有酸性液のアルカリ消費量を求めるために原水貯槽２にｐＨ計又はアルカリ消費量計を設け、原水貯槽２に導入された非イオン／カチオン性水溶性化合物含有酸性液のｐＨ又はアルカリ消費量を測定してアルカリ消費量を求めるようにしてもよい。アルカリ消費量は酸消費量計を簡易に改造することにより測定することができる。アルカリ溶液のｐＨ又は酸消費量を測定する計器はアルカリ溶液貯槽１に設ける他、アルカリ溶液貯槽１にアルカリ溶液を送給する配管に設けてもよい。また、非イオン／カチオン性水溶性化合物含有酸性液のｐＨ又はアルカリ消費量を測定する計器についても、原水貯槽２に設ける他、原水貯槽２に非イオン／カチオン性水溶性化合物含有酸性液を送給する配管に設けてもよい。
【００５８】
本発明によるアルカリ溶液のアルカリ濃度の調整は、後述の実施例のように、処理の開始に当たり、中和透析用アルカリ溶液貯槽１に送給する廃アルカリ溶液と高濃度アルカリ溶液との送液量を決定するために実施する他、処理途中のアルカリ濃度調整にも利用することができる。すなわち、処理途中の中和透析用アルカリ溶液貯槽１内のアルカリ溶液のｐＨ又は酸消費量を測定すると共に、原水貯槽２内の非イオン／カチオン性水溶性化合物含有酸性液のｐＨ又はアルカリ消費量を測定し、アルカリ溶液貯槽１内のアルカリ溶液が、原水貯槽２内の非イオン／カチオン性水溶性化合物含有酸性液を効率的に中和脱塩又は中和脱塩減容化処理できるように、アルカリ溶液濃度を調整するために、この中和透析用アルカリ溶液貯槽１内のアルカリ溶液の一部を引き抜き、系外へ排出し、高濃度アルカリ溶液を添加してアルカリ濃度を調整することもできる。このように処理途中でアルカリ濃度の調整を行うことにより、中和脱塩又は中和脱塩減容化処理でアルカリ濃度が低下することによる非イオン／カチオン性水溶性化合物含有酸性液からのアニオンの移動速度の低下を、処理途中のアルカリ溶液のアルカリ濃度を高めることにより防止して、処理効率を高く維持することができる。
【実施例】
【００５９】
以下に実施例及び比較例を挙げて本発明をより具体的に説明する。
【００６０】
なお、以下において、復水脱塩装置のカチオン樹脂再生排液を下記表２に示す組成に調整したものを原水（以下「模擬原水」と称す。）として用い、この模擬原水５Ｌを原水貯槽２に入れた。
【００６１】
【表２】
2012210611.tif 000004
【００６２】
また、廃アルカリ溶液としては、酸消費量が１２，５００ｍｇ−ＣａＣＯ３／Ｌの復水脱塩装置のアニオン交換樹脂の再生排液２３Ｌを用い、高濃度アルカリ溶液としてＮａＯＨ濃度４８重量％のＮａＯＨ水溶液を０．５Ｌ準備し、それぞれ廃アルカリ溶液貯槽３、高濃度アルカリ溶液貯槽４に入れた。
【００６３】
［実施例１］
図１に示す装置により、模擬原水の中和脱塩処理を行った。制御機器２０では、アルカリ溶液の酸消費量が２２．５ｍｇ−ＣａＣＯ３／Ｌ（酸性液のアルカリ消費量は５７ｍｇ−ＣａＣＯ３／Ｌで、その１／２．６倍は約２２ｍｇ−ＣａＣＯ３／Ｌ）、酸消費量の総量が２８５ｍｇ−ＣａＣＯ３（酸性液のアルカリ消費量の総量は２８５ｍｇ−ＣａＣＯ３（＝５７ｍｇ−ＣａＣＯ３／Ｌ×５Ｌ））となるように設定した。
【００６４】
まず、廃アルカリ溶液貯槽３から廃アルカリ溶液を中和透析用アルカリ溶液貯槽１に送液し、酸消費量計２１により廃アルカリ溶液の酸消費量を測定した。この測定値に基いて、ポンプＰ３による廃アルカリ溶液の送液量とポンプＰ４による高濃度アルカリ溶液の送液量を制御機器２０により制御し、中和透析用アルカリ溶液貯槽１中のアルカリ溶液の酸消費量が上記設定条件となるようにした。
【００６５】
その後、中和透析装置１０に原水貯槽２内の模擬原水と中和透析用アルカリ溶液貯槽１内の濃度調整したアルカリ溶液をそれぞれ循環通水し、原水貯槽２内の模擬原水のアルカリ消費量の経時変化を調べ、結果を図２に示した。
【００６６】
［比較例１］
実施例１において、廃アルカリ溶液を濃度調整することなく用いたこと以外は同様に処理を行い、原水貯槽２内の模擬原水のアルカリ消費量の経時変化を調べ、結果を図２に示した。
【００６７】
実施例１のアルカリ溶液は、模擬原水のアルカリ消費量に応じて廃アルカリ溶液と高濃度アルカリ溶液を適切なアルカリ濃度となるように、処理開始前に濃度調整したため、効率的に処理が行われた。これに対して、比較例１の場合は、模擬原水のアルカリ消費量に対し廃アルカリ溶液の酸消費量が低いために、アニオンの移動速度が遅く、模擬原水のアルカリ消費量をゼロにするのに、実施例１に対し２倍程度処理時間が必要であった。
これらの結果から、本発明により、希薄な廃アルカリ溶液を利用しても効率的な処理を行うことが可能となることが分かる。
【符号の説明】
【００６８】
１  中和透析用アルカリ溶液貯槽
２  原水貯槽
３  廃アルカリ溶液貯槽
４  高濃度アルカリ溶液貯槽
１０  中和透析装置
１０Ａ  アニオン交換膜
２０  制御機器
２１  酸消費量計
【図１】
2012210611.tif 000005
【図２】
2012210611.tif 000006